【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
４バーリンケージアセンブリを備える椅子アセンブリであって、前記４バーリンケージアセンブリが、
第１の端部および第２の端部を有し、その長さに沿ってＵ字形の断面構成を備える第１のリンケージ部材と、
第１の端部および第２の端部を有する第２のリンケージ部材と、
第１の枢支点の周りで回転するように前記第１のリンケージ部材の前記第１の端部に枢動可能に結合された第１の端部、および第２の枢支点の周りで回転するように前記第２のリンケージ部材の前記第１の端部に枢動可能に結合された第２の端部を有する第３のリンケージ部材と、
第３の枢支点の周りで回転するように前記第１のリンケージ部材の前記第２の端部に枢動可能に結合された第１の端部、および第４の枢支点の周りで回転するように前記第２のリンケージ部材の前記第２の端部に枢動可能に結合された第２の端部を有する第４のリンケージ部材とを備え、
前記４バーリンケージアセンブリが、下端部と上端部を含み、前記上端部が、上昇位置と下降位置との間で調節可能であり、
椅子アセンブリがさらに、着座した使用者の腕をその上に支持するように適合され、前記４バーリンケージアセンブリの前記上端部に支持される肘掛けアセンブリを備え、
前記４バーリンケージアセンブリの前記下端部が、第５の枢支点の周りで枢動できるようにアーム支持構造によって枢動可能に支持され、それにより、前記４バーリンケージアセンブリの前記上端部が、第１の位置と、前記第１の位置から横方向外側に位置された第２の位置との間で移動可能である
椅子アセンブリ。
【請求項２】
前記第２のリンケージ部材が、その長さに沿ってＵ字形の断面構成を備え、第１のリンケージ部材と第２のリンケージ部材とが協働して、前記第１および第２のリンケージ部材の前記長さに沿って長手方向に延在する内部通路を形成する請求項１に記載の椅子アセンブリ。
【請求項３】
前記第３のリンケージ部材が、前記アーム支持構造の少なくとも一部を含む請求項１又は２に記載の椅子アセンブリ。
【請求項４】
前記第４のリンケージ部材が、前記肘掛けアセンブリの少なくとも一部を含む請求項１から３のいずれか一項に記載の椅子アセンブリ。
【請求項５】
前記４バーリンケージアセンブリの前記下端部が、枢動ボスおよび枢動アパーチャのうちの選択された一方を含み、前記アーム支持構造が、前記枢動ボスおよび前記枢動アパーチャのうちの他方を含み、前記枢動ボスが、前記第５の枢支点の周りで回転するように前記４バーリンケージアセンブリを枢動可能に支持するために前記枢動アパーチャによって受け取られる請求項１から４のいずれか一項に記載の椅子アセンブリ。
【請求項６】
前記４バーリンケージアセンブリが、前記上昇位置と前記下降位置との間で約３５°以上にわたって調節する請求項１から５のいずれか一項に記載の椅子アセンブリ。
【請求項７】
前記肘掛けアセンブリが、前記４バーリンケージアセンブリに対して枢動可能に調節可能である請求項１から６のいずれか一項に記載の椅子アセンブリ。
【請求項８】
前記肘掛けアセンブリが、前記４バーリンケージアセンブリに対して直線的に調節可能である請求項７に記載の椅子アセンブリ。
【請求項９】
前記肘掛けアセンブリが、前記４バーリンケージアセンブリに対して横方向で調節可能である請求項１から８のいずれか一項に記載の椅子アセンブリ。
【請求項１０】
着座した使用者を上に支持するように構成された座部支持面を含む座部支持構造と、
着座した使用者の腕をその上に支持するためにアーム支持面を含む肘掛けアセンブリと、
前記座部支持面よりも高い垂直高さで前記アーム支持アセンブリを支持する上端部、枢動ボスおよび枢動アパーチャのうちの選択された一方を含む下端部を有するアーム支持アセンブリと、
前記枢動ボスおよび前記枢動アパーチャのうちの他方を含むアーム支持構造とを備える椅子アセンブリであって、前記枢動ボスが、第１の位置と第２の位置との間で枢支点の周りで回転するように前記アーム支持アセンブリを枢動可能に支持するために前記枢動アパーチャの内部に受け取られ、前記枢動ボスが円錐形状を有し、前記アパーチャが、前記枢動ボスの形状に密接に対応する円錐形状を有する
椅子アセンブリ。
【請求項１１】
前記アーム支持構造が前記枢動アパーチャを含む請求項１０に記載の椅子アセンブリ。
【請求項１２】
前記枢動ボスと前記枢動アパーチャとの間に摩擦力が及ぼされ、それにより、前記第１の位置と前記第２の位置との間の選択された位置に前記アーム支持アセンブリを保持し、前記４バーリンケージアセンブリが、前記摩擦力以外の任意の他の機械的な手段によって前記選択された位置で保持されない請求項１０又は１１に記載の椅子アセンブリ。
【請求項１３】
前記枢動ボスと前記枢動アパーチャとが、互いに向けて偏倚される請求項１０から１２のいずれか一項に記載の椅子アセンブリ。
【請求項１４】
前記枢動ボスと前記枢動アパーチャとが、ばね部材によって互いに向けて偏倚される請求項１０から１３のいずれか一項に記載の椅子アセンブリ。
【請求項１５】
前記ばね部材がコイルばねを含む請求項１４に記載の椅子アセンブリ。
【請求項１６】
前記ばね部材によって及ぼされる偏倚力の量を調節する調節メカニズムをさらに備える請求項１４又は１５に記載の椅子アセンブリ。
【請求項１７】
前記枢動ボスと前記枢動アパーチャとの間に位置されたブッシング部材
をさらに備える請求項１０から１６のいずれか一項に記載の椅子アセンブリ。
【請求項１８】
前記ブッシング部材が、前記枢動ボスの形状および前記枢動アパーチャの形状に概して対応する円錐形状を有する請求項１７に記載の椅子アセンブリ。
【手続補正２】
【補正対象書類名】明細書
【補正対象項目名】０００２
【補正方法】変更
【補正の内容】
【０００２】
本発明の一態様は、４バーリンケージアセンブリ（four-bar linkage assembly）を備える椅子アセンブリであって、４バーリンケージアセンブリが、第１の端部および第２の端部を有する第１のリンケージ部材と、第１の端部および第２の端部を有する第２のリンケージ部材と、第１の枢支点の周りで回転するように第１のリンケージ部材の第１の端部に枢動可能に結合された第１の端部、および第２の枢支点の周りで回転するように第２のリンケージ部材の第１の端部に枢動可能に結合された第２の端部を有する第３のリンケージ部材と、第３の枢支点の周りで回転するように第１のリンケージ部材の第２の端部に枢動可能に結合された第１の端部、および第４の枢支点の周りで回転するように第２のリンケージ部材の第２の端部に枢動可能に結合された第２の端部を有する第４のリンケージ部材とを備え、４バーリンケージアセンブリが、下端部と上端部を含み、上端部が、上昇位置と下降位置との間で調節可能である椅子アセンブリを提供することである。椅子アセンブリは、着座した使用者の腕をその上に支持するように適合され、４バーリンケージアセンブリの上端部に支持される肘掛けアセンブリをさらに備え、４バーリンケージアセンブリの下端部が、第５の枢支点の周りで枢動できるようにアーム支持構造によって枢動可能に支持され、それにより、４バーリンケージアセンブリの上端部が、第１の位置と、第１の位置から横方向外側に位置された第２の位置との間で移動可能である。
【手続補正３】
【補正対象書類名】明細書
【補正対象項目名】０００９
【補正方法】変更
【補正の内容】
【０００９】
【図１】本発明を具現化する椅子アセンブリの正面斜視図である。
【図２】椅子アセンブリの背面斜視図である。
【図３】下降位置と上昇位置（破線）における椅子アセンブリ、および後退位置と伸張位置（破線）における座部アセンブリを示す椅子アセンブリの側面図である。
【図４】直立位置とリクライニング位置（破線）における椅子アセンブリを示す椅子アセンブリの側面図である。
【図５】座部アセンブリの分解図である。
【図６】ばね支持アセンブリを示すために座部アセンブリの一部が取り除かれている、椅子アセンブリの拡大斜視図である。
【図７】背もたれアセンブリの正面斜視図である。
【図８】背もたれアセンブリの側面図である。
【図９Ａ】背もたれアセンブリの分解正面斜視図である。
【図９Ｂ】背もたれアセンブリの分解背面斜視図である。
【図１０】図９Ａの領域Ｘの拡大斜視図である。
【図１１】図２の領域ＸＩの拡大斜視図である。
【図１２】図７のＸＩＩ−ＸＩＩ線に沿った上側背もたれ枢動アセンブリの断面図である。
【図１３Ａ】上側背もたれ枢動アセンブリの分解背面斜視図である。
【図１３Ｂ】上側背もたれ枢動アセンブリの分解正面斜視図である。
【図１４】図９Ｂの領域ＸＩＶの拡大斜視図である。
【図１５Ａ】コンフォート部材および腰部部材の拡大斜視図である。
【図１５Ｂ】コンフォート部材および腰部部材の背面斜視図である。
【図１６Ａ】歯止め部材の正面斜視図である。
【図１６Ｂ】歯止め部材の背面斜視図である。
【図１７】図１５ＢのＸＶＩＩＩ−ＸＶＩＩＩ線に沿った部分断面斜視図である。
【図１８Ａ】コンフォート部材の一部が取り除かれている、背もたれアセンブリの斜視図である。
【図１８Ｂ】背もたれアセンブリの一部の分解斜視図である。
【図１９】座部支持プレートを上に支持する制御入力アセンブリの斜視図である。
【図２０】内部を示すためにいくつかの要素が取り除かれている、制御入力アセンブリの斜視図である。
【図２１】制御入力アセンブリの分解図である。
【図２２】制御入力アセンブリの側面図である。
【図２３Ａ】背もたれ支持構造の前面斜視図である。
【図２３Ｂ】背もたれ支持構造の分解斜視図である。
【図２４】椅子アセンブリの複数の枢支点を示す椅子アセンブリの側面図である。
【図２５】制御アセンブリと関連付けられる複数の枢支点を示す制御アセンブリの側面斜視図である。
【図２６】腰部調節が中立設定に設定された状態での、直立位置での背もたれを示す椅子の断面図である。
【図２７】腰部部分が平坦な構成に調節された状態での、直立位置での背もたれを示す椅子の断面図である。
【図２８】腰部が中立位置に調節された状態での、リクライニングされた背もたれを示す椅子の断面図である。
【図２９】腰部部分が平坦な構成に調節された状態での、リクライニング位置における椅子の断面図である。
【図２９Ａ】シェルの腰部部分が最大の湾曲に設定された状態での、リクライニングされた背もたれを示す椅子の断面図である。
【図３０Ａ】モーメントアームシフトアセンブリの分解図である。
【図３０Ｂ】モーメントアームシフト駆動アセンブリの分解図である。
【図３１】モーメントアームシフトアセンブリの断面斜視図である。
【図３２】複数の制御リンケージの上面図である。
【図３３Ａ】モーメントアームシフトが低張力位置にあり、椅子アセンブリが直立位置にある状態での、制御アセンブリの側面斜視図である。
【図３３Ｂ】モーメントアームシフトが低張力位置にあり、椅子アセンブリがリクライニング位置にある状態での、制御アセンブリの側面斜視図である。
【図３４Ａ】モーメントアームシフトが高張力位置にあり、椅子アセンブリが直立位置にある状態での、制御アセンブリの側面斜視図である。
【図３４Ｂ】モーメントアームシフトが高張力位置にあり、椅子アセンブリがリクライニング位置にある状態での、制御アセンブリの側面斜視図である。
【図３５】低張力設定および高張力設定に関するトルクとリクライニング量とのグラフである。
【図３６】座部支持プレートが分解された状態でのダイレクトドライブアセンブリの斜視図である。
【図３７】ダイレクトドライブアセンブリの分解斜視図である。
【図３８】垂直高さ制御アセンブリの斜視図である。
【図３９】垂直高さ制御アセンブリの側面図である。
【図４０】垂直高さ制御アセンブリの側面図である。
【図４１】第１の入力制御アセンブリの断面正面図である。
【図４２Ａ】制御入力アセンブリの分解図である。
【図４２Ｂ】第１の制御入力アセンブリのクラッチ部材の拡大斜視図である。
【図４２Ｃ】制御入力アセンブリの分解図である。
【図４３】可変背もたれ制御アセンブリの側面斜視図である。
【図４４】アームアセンブリの斜視図である。
【図４５】アームアセンブリの分解斜視図である。
【図４６】上昇位置と下降位置（破線）とでアームアセンブリの側面図である。
【図４７】アームアセンブリの部分断面図である。
【図４８】真直位置と角度位置（破線）とでアームアセンブリを示す椅子アセンブリの上面図である。
【図４９】垂直高さ調節係止機構を含むアームアセンブリの斜視図である。
【図５０】垂直高さ調節係止機構を含むアームアセンブリの斜視図である。
【図５１】垂直高さ調節係止機構を含むアームアセンブリの斜視図である。
【図５２】真直位置と回転位置（破線）、および後退位置と伸張位置（破線）での肘掛けアセンブリを示す椅子アセンブリの上面図である。
【図５３】肘掛けアセンブリの分解図である。
【図５４】肘掛けアセンブリの断面図である。
【図５５】椅子アセンブリの斜視図である。
【図５６】椅子アセンブリの正面図である。
【図５７】椅子アセンブリの第１の側面図である。
【図５８】椅子アセンブリの第２の側面図である。
【図５９】椅子アセンブリの背面図である。
【図６０】椅子アセンブリの上面図である。
【図６１】椅子アセンブリの底面図である。
【図６２】アームアセンブリの斜視図である。
【図６３】アームアセンブリの正面図である。
【図６４】アームアセンブリの第１の側面図である。
【図６５】アームアセンブリの第２の側面図である。
【図６６】アームアセンブリの背面側面図である。
【図６７】アームアセンブリの上面図である。
【図６８】アームアセンブリの底面図である。
【手続補正４】
【補正対象書類名】明細書
【補正対象項目名】００２０
【補正方法】変更
【補正の内容】
【００２０】
コンフォート部材１８４（図１５Ａおよび図１５Ｂ）は、一体成形された、長手方向で延在するスリーブ２０６を含み、スリーブ２０６は、後面１９５から後方に延在し、長方形の断面構成を有する。腰部アセンブリ１８６は、前方へ横方向には凹形であり前方へ垂直方向には凸形である可撓弾性ボディ部分２０８と、ボディ部分２０８から上方向に延在する一体支持部分２１０とを含む。図示される例では、ボディ部分２０８は、ボディ部分がその高さに沿って垂直方向にテーパし、それによりコンフォート部材１８４のアパーチャ１９４の輪郭および形状に概して従うように形作られる。支持部分２１０は、コンフォート部材１８４のスリーブ２０６の内部に摺動可能に受け取られ、それにより、腰部アセンブリ１８６は、完全下降位置Ｉと完全上昇位置Ｊとの間で、背部支持アセンブリ９９の残りの部分に対して垂直方向に調節可能である。歯止め部材２１２が、支持部分２１０の長さに沿って離隔配置された複数のアパーチャ２１４に選択的に係合し、それにより、完全下降位置Ｉと完全上昇位置Ｊとの間の選択された垂直位置で腰部アセンブリ１８６を解放可能に固定する。歯止め部材２１２（図１６Ａおよび図１６Ｂ）は、係合タブ２１８を有するハウジング部分２１６を含み、係合タブ２１８は、ハウジング部分２１６の端部に位置され、ハウジング部分２１６の外面２２０から後方にずらされる。可撓弾性フィンガ２２２が、ハウジング部分２１６の内部で中央に配設され、後方に延在する歯止め２２４を含む。
【手続補正５】
【補正対象書類名】明細書
【補正対象項目名】００２９
【補正方法】変更
【補正の内容】
【００２９】
動作時、制御アセンブリ１４の４バーリンケージアセンブリは、背もたれアセンブリ１８が直立位置Ｅからリクライニング位置Ｆに移動されるときに、座部アセンブリ１６を直立位置Ｇからリクライニング位置Ｈにリクライニングさせるように協働し、ここで、図２４における位置ＥおよびＦの上側および下側の図示は、背もたれアセンブリ１８の上側部分と下側部分が一部片としてリクライニングすることを示す。特に、制御リンク３１６は、座部支持構造２８２および背もたれ支持構造３０２に構成されて結合され、背もたれ支持構造３０２が第２の支持点２７６の周りで枢動されるときに座部支持構造２８２を第１の枢支点２７４の周りで回転させる。好ましくは、座部支持構造３０２は、第２の枢支点２７６の周りでの背もたれ支持構造３０２の回転率の約１／３〜約２／３の間で第１の枢支点２７４の周りで回転され、より好ましくは、座部支持構造は、第２の枢支点２７６の周りでの背もたれ支持構造３０２の回転率の約１／２で第１の枢支点２７４の周りで回転し、最も好ましくは、座部アセンブリ１６は、完全直立位置Ｇから完全リクライニング位置Ｈへ約９°の角度βまでリクライニングし、一方、背もたれアセンブリ１８は、完全直立位置Ｅから完全リクライニング位置Ｆに約１８°の角度γまでリクライニングする。
【手続補正６】
【補正対象書類名】明細書
【補正対象項目名】００３１
【補正方法】変更
【補正の内容】
【００３１】
図２６をさらに参照すると、背もたれ制御リンク３４２は前端部を含み、前端部は、第５の枢支点３４４で、座部支持構造２８２に枢動可能に接続される。背もたれ制御リンク３４２の後端部３４５は、第６の枢支点３４６で、背もたれシェル１１２の下部１１６に接続される。第６の枢支点３４６は任意選択であり、背もたれ制御リンク３４２と背もたれシェル１１２とが互いに動かないように固定されてもよい。また、枢支点３４６は、第１および／または第２の回転方向で、背もたれシェル１１２に対する背もたれ制御リンク３４２の回転を制限するストップ機能を含むこともある。例えば、図２６を参照すると、枢支点３４６は、制御リンク３４２に対する背もたれシェル１１２の下部１１６の時計回りの回転を可能にするストップ機能を含むことがある。これは、寸法Ｄ１を減少させる傾向がある後方への／水平の力が背もたれシェル１１２の腰部部分に加えられる場合に、腰部がより平坦になるようにする。しかし、ストップ機能は、制御リンク３４２に対する反時計回り（図２６）での背もたれシェル１１２の下部１１６の回転を防止するように構成されてもよい。これにより、背もたれアセンブリ１８の上部を押すことによって使用者が椅子をリクライニングさせるときに、リンク３４２および背もたれシェル１１２の下部１１６は、背もたれアセンブリ１８と同じ角速度で回転する。
【手続補正７】
【補正対象書類名】明細書
【補正対象項目名】００３４
【補正方法】変更
【補正の内容】
【００３４】
上述したように、腰部アセンブリ１８６の位置は、垂直に調節可能である。また、腰部アセンブリ１８６の垂直方向調節は、椅子背もたれのリクライニング中の背もたれシェル１１２の撓み／湾曲具合を調節する。図２６で、腰部アセンブリ１８６は、中間または中立位置に調節され、それにより、背もたれシェル１１２の腰部部分１２６の湾曲も中間または中立になる。さらに図２７を参照すると、腰部アセンブリ１８６の垂直位置が調節される場合、角度φが減少され、腰部領域１２６の湾曲が減少される。図２７に示されるように、これはまた角度φ１をより大きくし、背もたれシェル１１２の全体の形状を比較的平坦にする。
【手続補正８】
【補正対象書類名】明細書
【補正対象項目名】００３６
【補正方法】変更
【補正の内容】
【００３６】
また、図２６の位置から図２８の位置に椅子が傾くとき、腰部領域１２６と座部１６との距離Ｄが、１７４ｍｍから２３４ｍｍに増加する。背もたれシェル１１２の腰部領域１２６と背もたれフレーム構造９８との間の寸法Ｄ１も、背もたれが図２６の位置から図２８の位置に傾くときに増加する。したがって、距離Ｄがいくぶん増加するが、寸法Ｄ１の増加が寸法Ｄの増加を減少させる。なぜなら、背もたれシェル１１２の腰部領域１２６が、リクライニング中に背もたれフレーム９８に対して前方にシフトされるからである。
【手続補正９】
【補正対象書類名】明細書
【補正対象項目名】００３８
【補正方法】変更
【補正の内容】
【００３８】
上述したように、図２７は、直立位置での椅子アセンブリ１０の背もたれアセンブリ１８を示し、背もたれシェル１１２の腰部領域１２６は平坦位置に調節されている。背もたれアセンブリ１８が図２７の位置から図２９の位置に傾けられる場合、背もたれ制御リンク３４２とカムリンク３５０との両方が時計回りに回転する。しかし、カムリンク３５０はいくぶん高い割合で回転し、したがって角度φは、３１．４°から３５．９°に変化する。距離Ｄは、２０２ｍｍから２６５ｍｍに変化し、角度φ１は、２４．２°から２４．１°に変化する。
【手続補正１０】
【補正対象書類名】明細書
【補正対象項目名】００４６
【補正方法】変更
【補正の内容】
【００４６】
図３３Ａ〜図３４Ｂに最も良く示されるように、モーメントアームシフトアセンブリ４６６は、低張力設定と高張力設定の間で偏倚アセンブリ４４２を調節する働きをする。具体的には、偏倚アセンブリ４４２は、図３３Ａでは、椅子アセンブリ１０が直立位置にある状態で低張力設定で示され、図３３Ｂでは、椅子アセンブリ１０がリクライニング位置にある状態で低張力設定で示され、一方、図３４Ａは、椅子が直立位置にある状態での高張力設定での偏倚アセンブリ４４２を示し、図３４Ｂでは、偏倚アセンブリは、椅子アセンブリ１０がリクライニング位置にある状態で高張力設定である。枢支点４６５とばねアセンブリ４４２のハウジング４４４の第２の端部４４８との間で測定される距離５４２は、モーメントアームシフトアセンブリ４６６が低張力設定で位置決めされ、椅子が直立位置にあるときに、ばねアセンブリ４４２に及ぼされる圧縮の量に関する基準となる。それと比較して、距離５４２'（図３３Ｂ）は、モーメントアームシフトアセンブリ４６６が高張力設定であり、椅子が直立姿勢であるときに、ばねアセンブリ４４２に及ぼされる増加した圧縮力の量を示す。使用者は、モーメントアームシフトアセンブリ４６６を低張力設定から高張力設定に移動させることによって、偏倚アセンブリ４４２によって背もたれ支持構造３０２に及ぼされる力の量を調節する。特に、操作者は、制御入力アセンブリ２６０への入力により、モーメントアームシフトリンケージアセンブリ４７０によって調節アセンブリ４６８の調節シャフト４７６を回転駆動させ、それにより枢動シャフト４６７を調節シャフト４７６の長さに沿って移動させ、それにより、枢動シャフト４６７が底部構造２６２に対して調節されるときにばねアセンブリ４４２に及ぼされる圧縮力を変える。枢動シャフト４６７は、底部構造２６２の側壁２６８に取り付けられた側部プレート部材５４６の内部に位置されたスロット５４４内で動く。モーメントアームシフトアセンブリ４６６が高張力設定にあって椅子アセンブリ１０が直立位置にあるときの距離５４２'は、モーメントアームシフト４６６が低張力設定であって椅子が直立位置であるときの距離５４２よりも大きく、したがって、これは、モーメントアームシフトが高張力設定にあるときには低張力設定に比べてばねアセンブリ４４２に及ぼされる圧縮力が大きいことを示すことに留意されたい。同様に、距離５４３’（図３３Ｂ）は、距離５４３（図３４Ｂ）よりも大きく、偏倚アセンブリ４４２によって及ぼされる偏倚力の増加をもたらし、リクライニング位置から直立位置に向けて背もたれアセンブリ１８に付勢する。偏倚アセンブリ４４２によって及ぼされる偏倚力の変化は、第２の枢支点２７６の周りで及ぼされる偏倚トルクの変化に対応し、いくつかの構成では、偏倚アセンブリ４４２の長さの変化または偏倚力の変化なしで偏倚トルクの変化が可能であることに留意されたい。
【手続補正１１】
【補正対象書類名】明細書
【補正対象項目名】００５４
【補正方法】変更
【補正の内容】
【００５４】
入力がないとき、偏倚ばね７３４は、係止リング７３２の円錐面に係合するようにクラッチ部材７２０の円錐面を押し、それにより、第１の制御入力アセンブリ７００からの入力がないときに後方または前方への力を座部アセンブリ１６に単に加えることによって、後退位置Ｃと伸張位置Ｄとの間での座部アセンブリ１６の「バックドライブ」または調節を防止する。動作時、操作者は、第１の制御入力アセンブリ７００を介してダイレクトドライブアセンブリ５６２を作動させることによって、座部アセンブリ１６を後退位置Ｃと伸張位置Ｄとの間で移動させる。特に、使用者によってノブ７１０に及ぼされる回転力が、ノブ７１０からカム部材７１８に伝達される。カム部材７１８が回転するとき、カム部材７１８の外側カム面７２６は、クラッチ部材７２０のカム面７３０に作用し、それにより、ばね７３４の偏倚力を克服し、係合位置から外れるようにクラッチ部材７２０に付勢し、クラッチ部材７２０は係止リング７３２を係合解除する。次いで、回転力は、カム部材７１８からクラッチ部材７２０に、次いで取付機構７１４に伝達され、取付機構７１４は、リンケージアセンブリ５６６を介してダイレクトドライブアセンブリ５６２に結合される。
【手続補正１２】
【補正対象書類名】明細書
【補正対象項目名】００５９
【補正方法】変更
【補正の内容】
【００５９】
各アームアセンブリ２０（図４４〜図４６）は、アーム支持アセンブリ８００を含み、アーム支持アセンブリ８００は、アーム底部構造８０２によって枢動可能に支持され、肘掛けアセンブリ８０４を調節可能に支持する。アーム支持アセンブリ８００は、第１のアーム部材８０６と、第２のアーム部材８０８と、アーム支持構造８１０と、肘掛けアセンブリ支持部材８１２とを含み、それらが協働して、４バーリンケージアセンブリを形成する。図示される例では、第１のアーム部材８０６は、Ｕ字形の断面構成を有し、枢支点８１６の周りで枢動できるようにアーム支持構造８１０に枢動可能に結合された第１の端部８１４と、枢支点８２０の周りで枢動できるように肘掛けアセンブリ支持部材８１２に枢動可能に結合された第２の端部８１８とを含む。第２のアーム部材８０８は、Ｕ字形の断面構成を有し、枢支点８２４の周りで枢動できるようにアーム支持構造８１０に枢動可能に結合された第１の端部８２２と、枢支点８２８の周りで枢動できるように肘掛けアセンブリ支持部材８１２に枢動可能に結合された第２の端部８２６とを含む。図示されるように、アーム支持アセンブリ８００の４バーリンケージアセンブリは、肘掛けアセンブリ８０４を完全上昇位置Ｋと完全下降位置Ｌとの間で調節できるようにし、完全上昇位置Ｋと完全下降位置Ｌとの距離は、好ましくは少なくとも約４インチである。各アームアセンブリは、Ｕ字形の断面構成を有し、第１の縁部８０９を含む第１のアームカバー部材８０７と、Ｕ字形の断面構成を有し、第２の縁部８１３を含む第２のアームカバー部材８１１とをさらに含み、第１のアーム部材８０６は、第１のアームカバー部材８０７の内部に収容され、第２のアーム部材８０８は、第２のアームカバー部材８１１の内部に収容され、それにより、第２の縁部８１３が第１の縁部８０９に重なり合う。
【手続補正１３】
【補正対象書類名】明細書
【補正対象項目名】００７０
【補正方法】変更
【補正の内容】
【００７０】
組立て時、支持プレート９６６は、肘掛けハウジングアセンブリ９６２の上に位置決めされ、スライダハウジング９７２は、支持プレート９６６の上に位置決めされ、それにより平坦部分９７４の底面１００６が支持プレート９６６の上面１００８に摩擦当接し、回転および直線調節部材９８０は、スライダハウジング９７２の側壁９７８と端壁９８１との間に位置決めされ、それにより回転および直線調節部材の底面９８６がスライダハウジング９７２の平坦部分９７４に摩擦係合し、回転選択部材９９４は、回転および直線調節部材９８０の上に位置決めされる。リベット１０１０など１対の機械的固定具が、回転選択部材９９４のアパーチャ９９９、回転および直線調節部材９８０の弓形のアパーチャ９９０、および支持プレート９６６のアパーチャ９６９を通って延在し、肘掛けハウジングアセンブリ９６２にねじ留め可能に固定され、それにより、肘掛けハウジング９６２に対する直線運動に関して、支持プレート９６６、回転および直線調節部材９８０、ならびに回転選択部材９９４を固定する。次いで、基板１００２およびアームパッド部材１００４が、スライダハウジング９７２に固定される。上述した構成は、スライダハウジング９７２、基板１００２、およびアームパッド部材１００４が直線方向で摺動できるようにし、それにより、肘掛けアセンブリ８０４を後退位置Ｏと伸張位置Ｐとの間で調節することができる。リベット１０１０は、支持プレート９６６と回転および直線調節部材９８０とによってスライダハウジング９７２に及ぼされるクランプ力を調節するように調節することができる。基板１００２は、中央に位置され、上方向に延在する隆起部分１０２０と、１対の長手方向に延在する側壁（図示せず）を有する対応する下向きに設けられた凹部とを含む。各側壁は、前述したリブ９９１および移動止め９９３と同様の複数のリブおよび移動止めを含む。動作時、枢動ボス９７０は、アームパッド１００４が直線方向で移動されるときに凹部の移動止めに係合し、それにより使用者に触覚フィードバックを提供する。図示される例では、枢動ボス９７０はスロット１０２２を含み、スロット１０２２は、枢動ボス９７０が移動止めに係合するときに枢動ボス９７０の端部が弾性変形できるようにし、それにより、枢動ボス９７０に対する摩耗を減少させる。回転および直線調節部材９８０の弓形のアパーチャ９９０は、調節部材９８０が支持プレート９６６の枢動ボス９７０の周りで枢動できるようにし、肘掛けアセンブリ８０４を真直位置Ｍと角度位置Ｎとの間で調節できるようにする。動作時、回転選択部材の各フィンガ９９８の係合部分１０００は、リブ９９１の間に画定された移動止め９９２に選択的に係合し、それにより、選択した回転位置に肘掛けアセンブリ８０４を使用者が位置決めできるようにし、また肘掛けアセンブリ８０４が回転されて調節されるときに使用者に触覚フィードバックを提供する。
【手続補正１４】
【補正対象書類名】明細書
【補正対象項目名】００７２
【補正方法】変更
【補正の内容】
【００７２】
以上の説明から、ここに開示された概念から逸脱することなく、本発明の様々な構成要素および要素の代替の実施形態ならびに本発明に対する修正形態を成すことができることを当業者は容易に理解されよう。特許請求の範囲に文言で特に明記されない限り、そのような修正も添付の特許請求の範囲に含まれるものとみなすべきである。